(57)【要約】【課題】バーコードデータに基づいて商品販売データを処理する既存のプログラムを利用して、無線タグから読取ったデータで商品販売データを処理できるようにする。【解決手段】スキャナ３は、商品バーコード２を読取る。無線タグリーダ５は、商品に付された無線タグ４からデータを読取る。データ変換機能２８２は、無線タグリーダ５で無線タグ４から読取ったデータを、変換テーブル２９２を利用して、商品バーコードのコード体系を有するデータに変換する。商品販売データ処理機能２８１は、スキャナ３で読取られた商品バーコードのデータまたはデータ変換機能２８２によるデータ変換により得られたデータに基づいて商品販売データを処理する。【選択図】      図２
2006139395.tif 000002
【特許請求の範囲】
【請求項１】
商品バーコードを読取るバーコード読取手段と、
商品に付された無線タグからデータを読取る無線タグ読取手段と、
この無線タグ読取手段により前記無線タグから読取ったデータを前記商品バーコードのコード体系を有するデータに変換するデータ変換手段と、
前記バーコード読取手段により読取られた商品バーコードのデータまたは前記データ変換手段によるデータ変換により得られたデータに基づいて商品販売データを処理する商品販売データ処理手段と、
を具備したことを特徴とする商品販売データ処理装置。
【請求項２】
商品に付された無線タグに記憶されているデータに対応して、当該無線タグが付された商品の商品販売データ処理に必要な商品バーコードのコード体系を有するデータを記憶する変換テーブルをさらに具備し、
前記データ変換手段は、前記タグデータ読取手段により前記無線タグから読取ったデータで前記変換テーブルを検索して当該データに対応して記憶されている商品バーコード体系のデータを取得することを特徴とする請求項１記載の商品販売データ処理装置。
【請求項３】
前記変換テーブルに、商品バーコードのコード体系を有するデータと対応付けられて記憶される無線タグのデータは、少なくとも当該無線タグが付されている商品の商品名であることを特徴とする請求項２記載の商品販売データ処理装置。
【発明の詳細な説明】
【技術分野】
【０００１】
本発明は、商品に付されたバーコードまたは無線タグのデータに基づいて商品販売データを処理するＰＯＳ（Point Of Sales）端末等の商品販売データ処理装置に関する。
【背景技術】
【０００２】
従来、ＰＯＳシステムが導入されている店舗では、各商品にそれぞれその商品固有の商品コードをバーコードで表現した商品バーコードを付して販売するとともに、ＰＯＳ端末に商品バーコードを読み取るためのスキャナを接続する。また、各商品の商品コードに対応して商品名，単価等の商品データが設定された商品テーブルを、ＰＯＳ端末内部または外部の記憶部にアクセス可能に記憶させる。かかるシステムにおいて、ＰＯＳ端末のオペレータは、客から買上商品の会計を受けると、その客買上商品に付された商品バーコードを１品ずつスキャナで読取る。そうすることにより、ＰＯＳ端末の制御部は、予め設定されたアプリケーションプログラムに従い、以下に示す商品販売データ処理を実行していた。
【０００３】
先ず、スキャナで読取られた商品バーコードを解析して商品コードを得る。次に、商品テーブルを検索して、当該商品コードに対応して設定されている商品名，単価等の商品データを呼び出す。次に、商品テーブルから呼び出した単価に販売点数を乗算して販売金額を算出する。なお、販売点数は、商品バーコードが読み取られる直前に置数キーによって置数されていた場合にはその数値であり、置数されていない場合には１である。こうして、販売金額を算出したならば、この販売金額を商品名等とともにＰＯＳ端末のオペレータ用及び客用の各表示器に表示させる。また、商品名，単価，販売点数，販売金額等の商品販売データをメモリに登録処理する。
【０００４】
その後、次の商品バーコードがスキャナで読取られると、ＰＯＳ端末の制御部は、上記商品販売データ処理を繰り返す。そして、１顧客との商取引終了を宣言する締めキーが操作されると、メモリに登録処理された商品販売データに基づいて会計処理を実行する。また、この商品販売データをトランザクションデータとしてストアコンピュータに転送する。かくして、ストアコンピュータでは、各商品の販売と同時に売上が管理されていた。
【０００５】
ところで近年、ＩＣメモリとアンテナとで構成され、リーダライタとの間で無線を利用して非接触でデータの書込み及び読出しが可能な小型の情報記憶媒体，いわゆる無線タグが開発され、様々な分野で実用化が検討されている。流通分野では、例えば各商品にバーコードの代わりに無線タグを付し、そのＩＣメモリに当該商品の商品名，単価等の商品データを書き込んで販売するとともに、ＰＯＳ端末に無線タグのリーダライタを接続し、客買上商品に付された無線タグのＩＣメモリデータをリーダライタで読取ることによって、ＰＯＳ端末で当該客買上商品の商品販売データを処理するシステムが提案されている。リーダライタは、無線交信領域内の複数の無線タグからＩＣメモリデータを一括して読取ることができる特徴がある。したがって、このような無線タグシステムを構築することによって、１品ずつ商品のバーコードを読み取っていた従来のバーコードシステムと比較してオペレータの負担が軽減される上、１客の会計に対する処理時間を大幅に短縮できる効果を奏する。
【０００６】
ただし、全ての商品に無線タグを付して販売するように商品販売方式を変更することは、コスト面等から甚だ困難であるので、過渡期には、無線タグが付された商品とバーコードが付された商品とが混在されて販売されることが予想される。このため、無線タグ方式だけでなくバーコード方式にも対応できるＰＯＳ端末等の商品販売データ処理装置の開発が望まれていた。
【０００７】
これに関連した先行技術としては、バーコードから非接触型ＩＣカードによる商品管理システムへ移行する時期に両システムを併用してスムーズに商品管理を行えるようにするために、商品管理用タグとしてバーコードと非接触型ＩＣカードを組み合わせて使用し、商品管理本部にてバーコードによる情報と非接触型ＩＣカードによる情報とを識別して商品管理装置への接続を切り替えるようにしたものがあった（例えば、特許文献１参照）。
【特許文献１】特開平１１−９６４６３号公報
【発明の開示】
【発明が解決しようとする課題】
【０００８】
しかしながら、従来の技術でバーコード方式と無線タグ方式の両方に対応できる商品販売データ処理装置を実現するためには、商品に付されたバーコードがスキャナで読取られた場合にそのバーコードデータに基づいて当該商品の商品販売データを処理する既存のプログラムとは別に、商品に付された無線タグから商品名，単価等の商品データがリーダライタで読取られた場合にその商品データに基づいて当該商品の商品販売データを処理するプログラムが別途必要で、製品コストが高くなるという問題があった。
【０００９】
本発明はこのような事情に基づいてなされたもので、その目的とするところは、バーコードデータに基づいて商品販売データを処理する既存のプログラムを利用して、無線タグから読取ったデータで商品販売データを処理することができ、無線タグ方式の導入にかかる経費の負担が小さくてすむ商品販売データ処理装置を提供しようとするものである。
【課題を解決するための手段】
【００１０】
本発明の商品販売データ処理装置は、商品バーコードを読取るバーコード読取手段、例えばスキャナと、商品に付された無線タグからデータを読取る無線タグ読取手段、例えば無線タグリーダと、この無線タグ読取手段により無線タグから読取ったデータを商品バーコードのコード体系を有するデータに変換するデータ変換手段と、バーコード読取手段により読取られた商品バーコードのデータまたはデータ変換手段によるデータ変換により得られたデータに基づいて商品販売データを処理する商品販売データ処理手段とを備えたものである。
【発明の効果】
【００１１】
かかる手段を講じた本発明の商品販売データ処理装置によれば、バーコードデータに基づいて商品販売データを処理する既存のプログラムを利用して、無線タグから読取ったデータで商品販売データを処理することができる。したがって、無線タグ方式の導入にかかる経費の負担を小さく抑制できる効果を奏する。
【発明を実施するための最良の形態】
【００１２】
以下、本発明を実施するための最良な形態について、図面を用いて説明する。
【００１３】
なお、この実施の形態は、商品販売データ処理装置の一態様であるＰＯＳ端末に本発明を適用した場合である。
【００１４】
図１は本実施の形態におけるＰＯＳ端末１の主要なハードウェア構成を示すブロック図である。図示するように、ＰＯＳ端末１は、主制御部としてＣＰＵ（Central Processing Unit）１１を搭載している。そしてこのＣＰＵ１１に、アドレスバス，データバス等のバスライン１２を介して、ＲＯＭ（Read Only Memory）１３及びＲＡＭ（Random Access Memory）１４の主記憶部と、補助記憶装置としてのＨＤＤ（Hard Disk Drive）装置１５と、現在の日時を計時する時計部１６と、ＬＡＮ（Random Access Memory）等の通信回線で接続されたストアコンピュータとの間のデータ通信を司る通信インターフェイス１７とを接続している。また、置数キー，締めキーなどが配設されたキーボード１８のキー入力を制御するキーボードコントローラ１９、オペレータ用表示器２０の画面表示を制御する第１の表示コントローラ２１、客用表示器２２の画面表示を制御する第２の表示コントローラ２２及びレシート印字等を行うプリンタ２４を制御するプリンタコントローラ２５のデバイスコントローラと、スキャナインターフェイス２６及びタグリーダインターフェイス２７のデバイスインターフェイスとが、前記バスライン１２を介してＣＰＵ１１に接続している。
【００１５】
図２は本実施の形態におけるＰＯＳ端末１の本発明に係わる要部構成を機能的に示すブロック図であり、図１と共通する部分には同一符号を付している。図示するように、ＰＯＳ端末１の一方のデバイスインターフェイスであるスキャナインターフェイス２６には、レーザ光等を利用して商品に印刷または貼付された商品バーコード２を読取ることが可能なバーコード読取手段としてのスキャナ３が接続されている。
【００１６】
商品バーコード２は、例えば図３に示すように、国を区分する国コード３１と、商品の製造業者を示すメーカコード３２と、個々の商品番号を示すアイテムコード３３と、機械の読み誤りを防止するためのチェックデジット３４とを、１３桁のコードで示した標準タイプのバーコードまたは８桁のコードで示した短縮タイプのバーコードである。この他、同じ１３桁あるいは８桁のインストアマーキングのバーコードであってもよい。
【００１７】
また、他方のデバイスインターフェイスであるタグリーダインターフェイス２７には、例えば商品に付されたまま無線交信領域内に置かれた１乃至複数の無線タグ４からＩＣメモリに記憶されたデータを非接触で一括読取りすることが可能な無線タグ読取手段としての無線タグリーダ５が接続されている。
【００１８】
無線タグ４のＩＣメモリには、図４に示すように、当該無線タグ４の製造段階で製造業者により割当て設定された固有のＩＤが予め記憶されたＩＤエリア４１と、ユーザが任意のデータを書込むことができるユーザエリア４２とが確保されている。そして、ユーザエリア４２には、当該無線タグ４が取り付けられた商品に関するデータとして、当該商品のメーカコード，アイテムコード，商品名，単価等が記憶されている。
【００１９】
スキャナ３で読取られ、スキャナインターフェイス２６に入力された商品バーコード２のデータは、データ処理部２８におけるバーコード対応の商品販売データ処理機能２８１に直接与えられて、商品販売データが処理される。一方、無線タグリーダ５で読取られ、タグリーダインターフェイス２７に入力された無線タグ４のＩＣメモリデータは、データ処理部２８におけるデータ変換機能２８２でデータ変換された後、商品販売データ処理機能２８１に与えられて商品販売データが処理される。データ処理部２８は、ＣＰＵ１１を主体に構成されており、予めＰＯＳ端末１にインストールされたアプリケーションプログラムによって各機能２８１，２８２が実現されている。
【００２０】
具体的には、商品販売データ処理機能２８１は、商品バーコード２のコード体系を有する商品固有のデータ（以下、商品バーコードデータと称する）が入力されると、この商品バーコードデータを基にＨＤＤ装置１５またはＲＡＭ１４のテーブル記憶部２９にて記憶管理されている商品テーブル２９１を参照して、商品販売データを処理する機能（商品販売データ処理手段）である。商品テーブル２９１には、図５に示すように、各商品の商品バーコードデータにそれぞれ対応して、当該商品の部門コード，商品名，単価等の商品データが予め設定記憶されている。
【００２１】
すなわち商品販売データ処理機能２８１は、商品バーコードデータが入力されると、このデータで商品テーブル２９１を検索して、部門コード，商品名，単価等の商品データを呼び出す。次に、商品テーブル２９１から呼び出した単価に販売点数を乗算して販売金額を算出する。なお、販売点数は、商品バーコード２が読み取られる直前に置数キーによって置数されていた場合にはその数値であり、置数されていない場合には１である。こうして、販売金額を算出したならば、この販売金額を商品名等とともにオペレータ用表示器２０及び客用表示器２１に表示させる。また、商品名，単価，販売点数，販売金額等の商品販売データをメモリに登録処理するものとなっている。
【００２２】
データ変換機能２８２は、無線タグ４のＩＣメモリデータが入力されると、テーブル記憶部２９にて記憶管理されている変換テーブル２９２を参照して、このＩＣメモリデータを商品バーコードデータに変換する機能（データ変換手段）である。変換テーブル２９２には、図６に示すように、各商品にそれぞれ付された無線タグ４のＩＣメモリに記憶されているデータ項目のうち、メーカコード（Ｍｘｘｘｘ）と商品名（商品Ｘ）とを組み合わせたデータ（以下、商品タグデータと称する）に対応して、当該無線タグ４が付された商品の商品販売データ処理に必要な商品バーコードデータが予め設定記憶されている。
【００２３】
すなわちデータ変換機能２８２は、図７に示すように、無線タグリーダ５によって無線タグ４のＩＣメモリに記憶されているデータが読取られ（ＳＴ１のＹＥＳ）、このデータが商品に付されている無線タグ４のＩＣメモリデータであることを認識すると（ＳＴ２のＹＥＳ）、そのＩＣメモリデータからメーカコードと商品名とからなる商品タグデータを取得する（ＳＴ３）。次に、この商品タグデータで変換テーブル２９２を検索する（ＳＴ４）。そして、変換テーブル２９２に該当する商品タグデータが設定されていることを確認したならば（ＳＴ５のＹＥＳ）、この商品タグデータに対応して記憶されている商品バーコードデータを取得する（ＳＴ６）。しかる後、この商品バーコードデータを商品販売データ処理機能２８１へ通知して（ＳＴ７）、今回のデータ変換処理を終了する。
【００２４】
なお、変換テーブル２９２に設定されている各種の商品タグデータとそれに対応する商品バーコードデータは、ストアコンピュータで生成され、通信インターフェイス１７を介してＰＯＳ端末１に入力されて、変換テーブル２９２の内容が最新の状態に更新されるものとなっている。
【００２５】
このように本実施の形態のＰＯＳ端末１においては、商品バーコード２を読取ることが可能なスキャナ３と、無線タグ４のＩＣメモリデータを読取ることが可能な無線タグリーダ５とを有している。そして、スキャナ３によって商品バーコード２のデータが読み取り入力された場合には、この商品バーコードデータがデータ処理部２８の商品販売データ処理機能２８１に与えられ、この商品バーコードデータに基づいて所定の商品販売データ処理が実行される。
【００２６】
また、無線タグリーダ５によって商品に付された無線タグ４のＩＣメモリデータが読み取り入力された場合には、このＩＣメモリデータがデータ処理部２８のデータ変換機能２８２に与えられ、変換テーブル２９２の設定データに基づいて当該ＩＣメモリデータが商品バーコードデータに変換される。そして、この商品バーコードデータが商品販売データ処理機能２８１に与えられ、この商品バーコードデータに基づいて所定の商品販売データ処理が実行される。
【００２７】
したがって、スキャナ３で商品バーコード２が読取られた場合と同様に、無線タグリーダ５で無線タグ４が読取られた場合もバーコード対応の商品販売データ処理機能２８１で商品販売データを処理できるので、商品販売データ処理機能２８１のアプリケーションプログラムをバーコード用と無線タグ用の２種類を持つ必要がなく、無線タグ方式の導入に伴う経費を節約できる効果を奏する。
【００２８】
なお、この発明は前記実施形態そのままに限定されるものではなく、実施段階ではその要旨を逸脱しない範囲で構成要素を変形して具体化できる。
【００２９】
例えば前記実施の形態では、変換テーブル２９２に設定する無線タグデータをメーカコードと商品名との組み合わせデータとしたが、無線タグデータの項目はこれに限定されるものではない。仮に、商品名だけで各商品を識別することが可能である場合には、商品名だけを無線タグデータとすればよい。また、無線タグ４に商品別の品番が記憶されている場合には、この品番を無線タグデータとしてもよい。
【００３０】
また、前記実施の形態では、変換テーブル２９２のデータをストアコンピュータで生成してＰＯＳ端末１にダウンロードするようにしたが、ＰＯＳ端末１に設けられたキーボード１８等の入力デバイスを使用して変換テーブル２９２に所望する商品タグデータと商品バーコードデータとを手入力することも可能である。
【００３１】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３２】
【図１】本発明の一実施の形態であるＰＯＳ端末のハードウェア構成を示すブロック図。
【図２】同ＰＯＳ端末の本発明に係わる要部構成を機能的に示すブロック図。
【図３】本実施の形態における商品バーコードのデータ構造を示す模式図。
【図４】本実施の形態における無線タグのメモリデータ構造を示す模式図。
【図５】図２に示す商品テーブルのデータ構造を示す模式図。
【図６】図２に示す変換テーブルのデータ構造を示す模式図。
【図７】図２に示すデータ変換機能の処理手順を示す流れ図。
【符号の説明】
【００３３】
１…ＰＯＳ端末、２…商品バーコード、３…スキャナ、４…無線タグ、５…無線タグリーダ、１１…ＣＰＵ、１７…通信インターフェイス、２０…オペレータ用表示器、２２…客用表示器、２８…データ処理部、２８１…商品販売データ処理機能、２８２…データ変換機能、２９…テーブル記憶部、２９１…商品テーブル、２９２…変換テーブル。
【図１】
2006139395.tif 000003
【図２】
2006139395.tif 000004
【図３】
2006139395.tif 000005
【図４】
2006139395.tif 000006
【図５】
2006139395.tif 000007
【図６】
2006139395.tif 000008
【図７】
2006139395.tif 000009